(57)【要約】【課題】保存した映像データ及びデータ放送を画面に表示する場合に、これらのデータの取り扱いの融通性を向上させることが可能なデジタル放送受信装置及び方法を提供する。【解決手段】静止画キャプチャ部１０９は、制御部１０６からの制御命令に基づいて、表示部１０３から映像データを取得し、ＪＰＥＧ等の画像ファイルに変換し、映像静止画像としてメモリ１１１に保存する。また、静止画キャプチャ部１０９は、データ放送がある場合に、表示部１０３からデータ放送を取得し、ＪＰＥＧ等の画像ファイルに変換し、データ放送静止画像としてメモリ１１１に保存する。この場合、関連情報を静止画像のファイル内に記述する等して、映像静止画像とデータ放送静止画像とを関連付ける。【選択図】図１
2007180726.tif 000002
【特許請求の範囲】
【請求項１】
受信したデジタル放送波から、映像及び該映像に関連するデータ放送を検出する検出手段と、
保存操作が行われると、該操作に基づいて、前記検出した映像及びデータ放送をそれぞれ別々の静止画像として保存する保存手段とを具備することを特徴とするデジタル放送受信装置。
【請求項２】
請求項１に記載のデジタル放送受信装置において、
前記保存手段は、前記映像の静止画像とデータ放送の静止画像とを関連付けて保存することを特徴とするデジタル放送受信装置。
【請求項３】
請求項１または２に記載のデジタル放送受信装置において、
前記保存手段は、前記データ放送の静止画像を保存する場合に、画面として構成される全てのデータを静止画像として保存することを特徴とするデジタル放送受信装置。
【請求項４】
請求項１から３までのいずれか一項に記載のデジタル放送受信装置において、
前記保存手段は、前記データ放送の静止画像を保存する場合に、該データ放送に含まれるリンク情報を抽出し、該リンク情報も保存することを特徴とするデジタル放送受信装置。
【請求項５】
請求項２に記載のデジタル放送受信装置において、
さらに、前記映像の静止画像及びデータ放送の静止画像のうちのいずれか一方の静止画像を表示する場合に、前記関連付けた他方の静止画像も表示する表示手段を具備することを特徴とするデジタル放送受信装置。
【請求項６】
請求項４に記載のデジタル放送受信装置において、
さらに、前記データ放送の静止画像を表示する場合に、前記リンク情報も表示する表示手段を具備することを特徴とするデジタル放送受信装置。
【請求項７】
請求項６に記載のデジタル放送受信装置において、
前記表示手段は、前記リンク情報を選択すると、前記データ放送の静止画像のうちの該リンク情報が記された対応箇所を表示することを特徴とするデジタル放送受信装置。
【請求項８】
請求項７に記載のデジタル放送受信装置において、
さらに、前記リンク情報を選択した状態で発信操作が行われると、該リンク情報に基づいて発信する発信手段を具備することを特徴とするデジタル放送受信装置。
【請求項９】
デジタル放送波を受信するステップと、
前記受信したデジタル放送波から、映像及び該映像に関連するデータ放送を検出するステップと、
保存操作が行われると、該操作に基づいて、前記検出した映像及びデータ放送をそれぞれ別々の静止画像として保存するステップとを有することを特徴とするデジタル放送受信方法。
【発明の詳細な説明】
【技術分野】
【０００１】
本発明は、デジタル放送波を受信する放送受信装置において、映像及びデータ放送の保存及び表示技術に関する。
【背景技術】
【０００２】
従来、デジタル放送において、放送番組の映像データや、データ放送で用いられるデータ（以下、「データ放送」という。）等がＴＳ（Ｔｒａｎｓｐｏｒｔ  Ｓｔｒｅａｍ）のパケットとして伝送されている。ここで、データ放送とは、ＸＭＬをデジタル放送向けに拡張したコンテンツ記述言語で記述された文書（ＢＭＬ（Ｂｒｏａｄｃａｓｔ  Ｍａｒｋｕｐ  Ｌａｎｇｕａｇｅ）文書）や、当該ＢＭＬ文書が参照する画像データ、動画データ、文字データ等をいう。
【０００３】
このデータ放送を保存する際に工夫を施した技術として、特許文献１に記載されたものがある。具体的には、デジタル放送受信装置が、ユーザの操作により、データ放送のうちのＢＭＬ文書における任意の領域を抽出し、抽出した一部のＢＭＬ文書を用いて当該領域を表示するための文書を生成して保存するものである。これにより、一部の領域を表示するために、全てのデータ放送を保存する必要がなく、データ放送の一部のみを抽出して保存すれば済むことになる。
【０００４】
また、保存したデータ放送を表示するためには、保存したＢＭＬ文書を読み出して解析するＢＭＬ解析部が必要となる。このため、ＢＭＬ解析部を備えていないデジタル放送受信装置では、保存したデータ放送を表示することができない。さらに、クイズやアンケートのように、ユーザの操作により表示内容が動的に変化するデータ放送の場合には、ユーザが見たい画面を表示するまでに一定の操作が必要となる。
【０００５】
一方、映像や音声等のコンテンツを含む放送を受信し、コンテンツを表示するデジタル放送受信装置において、画面に表示したデータを静止画像として保存する技術は既知である。
【０００６】
【特許文献１】特開２００３−２７４３０９号公報
【発明の開示】
【発明が解決しようとする課題】
【０００７】
前述したデジタル放送受信装置が携帯端末装置である場合は、その放送が地上デジタルのモバイル放送向けであれば、その表示画面が最大２４０×４８０ドット（ＢＭＬの論理画面の大きさ）で構成されるから、映像データとデータ放送とを同時に画面表示する際に、全てのデータ放送を画面に表示することができないことがある。このとき、画面に表示されたデータを静止画像として保存すると、全てのデータ放送のうちの表示されている一部のみが保存されることになるから、全てのデータ放送を保存することができない。
【０００８】
また、画面に表示された映像データ及びデータ放送のうちのいずれか一方のみを保存した場合には、ユーザがその後に保存内容を見るとすると、一方しか見ることができない。このため、ユーザは、どのような内容かを把握したり思い出したりすることが困難になる。
【０００９】
そこで、本発明は上記課題を解決するためになされたものであり、その目的は、保存した映像データ及びデータ放送を画面に表示する場合に、これらのデータの取り扱いの融通性を向上させることが可能なデジタル放送受信装置及び方法を提供することにある。
【課題を解決するための手段】
【００１０】
上記課題を解決するため、本発明によるデジタル放送受信装置は、受信したデジタル放送波から、映像及び該映像に関連するデータ放送を検出する検出手段と、保存操作が行われると、該操作に基づいて、前記検出した映像及びデータ放送をそれぞれ別々の静止画像として保存する保存手段とを具備することを特徴とする。
【００１１】
前記保存手段は、前記映像の静止画像とデータ放送の静止画像とを関連付けて保存することが好適である。また、前記保存手段は、前記データ放送の静止画像を保存する場合に、画面として構成される全てのデータを静止画像として保存することが好適である。また、前記保存手段は、前記データ放送の静止画像を保存する場合に、該データ放送に含まれるリンク情報を抽出し、該リンク情報も保存することが好適である。
【００１２】
また、本発明によるデジタル放送受信装置は、さらに、前記映像の静止画像及びデータ放送の静止画像のうちのいずれか一方の静止画像を表示する場合に、前記関連付けた他方の静止画像も表示する表示手段を具備することを特徴とする。
【００１３】
また、本発明によるデジタル放送受信装置は、さらに、前記データ放送の静止画像を表示する場合に、前記リンク情報も表示する表示手段を具備することを特徴とする。前記表示手段は、前記リンク情報を選択すると、前記データ放送の静止画像のうちの該リンク情報が記された対応箇所を表示することが好適である。
【００１４】
本発明によるデジタル放送受信装置は、さらに、前記リンク情報を選択した状態で発信操作が行われると、該リンク情報に基づいて発信する発信手段を具備することを特徴とする。
【００１５】
本発明をデジタル放送受信装置として説明したが、本発明はこれらに実質的に相当する方法としても実現し得るものであり、本発明には、デジタル放送受信方法も包含される。すなわち、本発明によるデジタル放送受信方法は、デジタル放送波を受信するステップと、前記受信したデジタル放送波から、映像及び該映像に関連するデータ放送を検出するステップと、保存操作が行われると、該操作に基づいて、前記検出した映像及びデータ放送をそれぞれ別々の静止画像として保存するステップとを有することを特徴とする。
【発明の効果】
【００１６】
本発明によれば、保存した映像データ及びデータ放送を画面に表示する場合に、これらのデータの取り扱いの融通性を向上させることが可能なデジタル放送受信装置及び方法を提供することが可能となる。特に、移動型の携帯端末装置ではデータ表示領域が制限されているから、データの取り扱いの融通性は一層向上する。
【発明を実施するための最良の形態】
【００１７】
以下、本発明の実施の形態について図面を用いて詳細に説明する。図１は、本発明の実施の形態によるデジタル放送受信装置の構成を示すブロック図である。このデジタル放送受信装置１００は、アンテナ１０１，１０７、ＴＶ制御部１０２、表示部１０３、ＬＣＤ（Ｌｉｑｕｉｄ  Ｃｒｙｓｔａｌ  Ｄｉｓｐｌａｙ）１０４、データ放送処理部１０５、制御部１０６、電話部１０８、静止画キャプチャ部１０９、リンク情報解析部１１０、及びメモリ１１１を備えている。また、メモリ１１１は、映像データが保存される映像保存用領域１１２、データ放送が保存されるデータ放送保存用領域１１３、及びリンク情報が保存されるリンク情報保存用領域１１４を備えている。
【００１８】
ここで、リンク情報とは、データ放送のうちのＢＭＬ文書に含まれる電話番号、メールアドレス、ＵＲＩ（Ｕｎｉｆｏｒｍ  Ｒｅｓｏｕｒｃｅ  Ｉｄｅｎｔｉｆｉｅｒ）等であって、ユーザの操作により発信可能な電話番号、メールアプリを起動してメールを送信可能なメールアドレス（宛先として入力する）、ブラウザアプリを起動して遷移可能なＵＲＩ等をいう。
【００１９】
ＴＶ制御部１０２は、デジタル放送波のＲＦ（Ｒａｄｉｏ  Ｆｒｅｑｕｅｎｃｙ）信号をアンテナ１０１を介して受信する。また、制御部１０６から周波数（チャンネル）指定命令を入力し、当該周波数指定命令に基づいて、受信したＲＦ信号をチューニングする。具体的には、ＴＶ制御部１０２は、ＲＦ信号をチャンネル信号に周波数変換し、当該チャンネル信号を復調してＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）のＴＳ信号を生成する。そして、ＴＶ制御部１０２は、ＴＳ信号内のパケットＩＤに基づいて、音声パケット、映像パケット、データ放送パケット等を検出し、それぞれのパケットをデコードして音声データ、映像データ、データ放送等を生成する。ＴＶ制御部１０２は、音声データを図示しないスピーカに、映像データを表示部１０３に、データ放送をデータ放送処理部１０５にそれぞれ出力する。
【００２０】
データ放送処理部１０５は、ＴＶ制御部１０２からデータ放送を入力し、画面表示用データを作成し、当該画面表示用データを表示部１０３に出力する。また、データ放送処理部１０５は、入力したデータ放送に含まれるスクリプトを処理する。
【００２１】
表示部１０３は、ＴＶ制御部１０２から映像データを、データ放送処理部１０５から画面表示用データを、制御部１０６から制御命令をそれぞれ入力し、当該制御命令に基づいて、入力した映像データ及び画面表示データから画面イメージを作成し、当該画面イメージをＬＣＤ１０４の画面に表示すると共に、映像データを映像用バッファに、画面表示用データをデータ放送用バッファにそれぞれ格納する。また、表示部１０３は、映像用バッファに格納された映像データ及びデータ放送用バッファに格納された画面表示用データ（すなわちデータ放送）を、画面データとして静止画キャプチャ部１０９及びリンク情報解析部１１０に出力する。
【００２２】
静止画キャプチャ部１０９は、表示部１０３が映像データ及び画面表示用データから作成した画面データを入力し、当該画面データを静止画像に変換する。そして、静止画キャプチャ部１０９は、映像データの静止画像のファイルをメモリ１１１の映像保存用領域１１２に、データ放送の静止画像のファイルをメモリ１１１のデータ放送保存用領域１１３にそれぞれ保存する。ここで、静止画キャプチャ部１０９は、静止画像の保存に際し、お互いを関連付ける情報（関連情報）をそれぞれの静止画像のファイル内に記述する。
【００２３】
ここで、静止画キャプチャ部１０９がそれぞれの静止画像のファイルに記述する関連情報は、ファイル名でもよく、お互いを一意に特定できる情報であれば何でもよい。例えば、ＪＰＥＧファイルの場合には、静止画キャプチャ部１０９は、ＪＰＥＧファイルのコメントマーカ内に関連情報を記述するようにしてもよい。また、ＰＮＧファイルの場合には、静止画キャプチャ部１０９は、独自のチャンクを用意し、そのチャンクの中に関連情報を記述するようにしてもよい。また、関連情報を静止画像のファイル内に記述できない場合には、静止画キャプチャ部１０９は、関連情報を記述したファイルを作成し、当該ファイルを関連情報ファイルとしてメモリ１１１に保存するようにしてもよい。
【００２４】
リンク情報解析部１１０は、表示部１０３から画面データを入力し、当該画面データに含まれる現在表示中のデータ放送について、そのデータ放送に含まれるリンク情報を解析して抽出し、当該リンク情報をメモリ１１１のリンク情報保存用領域１１４に保存する。
【００２５】
制御部１０６は、受信したＲＦ信号をチューニングするタイミングを示す周波数指定命令をＴＶ制御部１０２に出力し、ＬＣＤ１０４に表示するための画面イメージを作成するための制御命令を表示部１０３に出力する等、デジタル放送受信装置１００の全体を統括するための処理を行う。
【００２６】
電話部１０８は、アンテナ１０７を介して電話番号を発信する等、音声情報やメール情報等の送受信を行い、一般的な電話機能及びメール機能等を実現する。
【００２７】
図２は、映像とデータ放送とを個別の静止画として保存する場合のシーケンス図である。図１に示した静止画キャプチャ部１０９は、ユーザにより保存操作が行われると、制御部１０６から制御命令を入力し、当該制御命令に基づいて、表示部１０３の映像用バッファから映像データを取得し、ＪＰＥＧ等の画像ファイルに変換し、映像データの静止画像としてメモリ１１１の映像保存用領域１１２に保存する（ステップＳ１０）。
【００２８】
そして、静止画キャプチャ部１０９は、データ放送の有無を調べ（表示部１０３のデータ放送用バッファにデータ放送が格納されているか否か等を調べ）（ステップＳ１１）、データ放送がある場合は、表示部１０３のデータ放送用バッファからデータ放送を取得し、ＪＰＥＧ等の画像ファイルに変換し、データ放送の静止画像としてメモリ１１１のデータ放送保存用領域１１３に保存する（ステップＳ１２）。一方、データ放送がない場合は、処理を終了する。
【００２９】
尚、ステップ１０及び１２において、静止画キャプチャ部１０９は、前述したように、静止画像を保存する際に、関連情報を静止画像のファイル内に記述する等して、映像データの静止画像とデータ放送の静止画像とを関連付ける。
【００３０】
ここで、静止画キャプチャ部１０９は、表示部１０３の映像データ用バッファまたはデータ放送用バッファからそれぞれの画面データを取得する場合には、ＬＣＤ１０４に表示されている部分的な画面データだけでなく、１画面として構成される全ての画面データを取得する。
【００３１】
図３は、メモリ１１１に保存される静止画像を示すイメージ図である。図３の左側にはＬＣＤ１０４に表示された画面が示されている。画面上部に映像が表示され、下部にデータ放送が表示されていることがわかる。この場合、図３の中央に示した映像データの静止画像（映像静止画像）が映像保存用領域１１２に保存され、図３の右側に示したデータ放送の静止画像（データ放送静止画像）がデータ放送保存用領域１１３に保存される。前述したように、保存されるデータ放送静止画像は、ＬＣＤ１０４に表示されている一部のデータ放送だけでなく、１画面として構成される全てのデータ放送静止画像である。
【００３２】
尚、図２において、静止画キャプチャ部１０９は、映像静止画像をメモリ１１１の映像保存用領域１１２に、データ放送静止画像をメモリ１１１のデータ放送保存用領域１１３にそれぞれ個別のファイルとして保存するようにしたが、図４に示すように、一つの静止画像ファイルとしてメモリ１１１に保存するようにしてもよい。
【００３３】
図５は、映像静止画像及びデータ放送静止画像に加えて、リンク情報も保存する場合のシーケンス図である。図５に示すシーケンス図と図２に示したシーケンス図とを比較すると、ステップ２０がステップ１０に、ステップ２１からステップ１１に、ステップ２５がステップ１２にそれぞれ相当し、図５のシーケンス図は、図２に加えて新たにステップ２２〜２４が追加されている点で相違する。
【００３４】
図５において、ステップ２０，２１は、図２に示したステップ１０，１１と同様である。静止画キャプチャ部１０９は、ステップ２１においてデータ放送があると判断した場合に、現在ＬＣＤ１０４に表示されているデータ放送を構成している全てのファイル（例えば、ＢＭＬ文書や、ＢＭＬ文書が参照しているＪＰＥＧファイル、スタイルシート等の外部ファイル等）を特定する（ステップＳ２２）。そして、静止画キャプチャ部１０９は、特定したファイル（文章）から、リンク情報を検索する（ステップＳ２３）。リンク情報を見つけた場合には、当該リンク情報を抽出し、メモリ１１１のリンク情報保存用領域１１４に保存する（ステップＳ２４）。この場合、データ放送のうちのリンク情報が表示されている位置（座標）も保存する。静止画キャプチャ部１０９は、ステップ２２において特定した全てのファイル（文章）についてリンク情報を検索し、ステップ２３，２４の処理を繰り返して行う。ステップ２５は、図２に示したステップ１２と同様である。
【００３５】
尚、ステップ２０，２４，２５において、静止画キャプチャ部１０９は、静止画像及びリンク情報を保存する際に、関連情報をそれぞれのファイル内に記述する等して、映像静止画像とデータ放送静止画像とリンク情報とを関連付ける。
【００３６】
図６は、リンク情報を強調して保存する場合のシーケンス図である。図６に示すシーケンス図と図５に示したシーケンス図とを比較すると、ステップ３０〜３４がそれぞれステップ２０〜２４に、ステップ３８がステップ２５にそれぞれ相当し、図６のシーケンス図は、図５に加えて新たにステップ３５〜３７が追加されている点で相違する。
【００３７】
図６において、ステップ３０〜３４は、図５に示したステップ２０〜２４と同様である。静止画キャプチャ部１０９は、ステップ３５においてリンク情報がある場合に、当該リンク情報の文字列におけるスタイル情報を、予め指定されたスタイル情報に変更する（ステップＳ３６）。そして、全てのリンク情報について、ステップ３５，３６を繰り返す。ここで、スタイル情報とは、例えば、色、サイズ、表示形態（点滅、点灯等）を示す情報をいう。
【００３８】
静止画キャプチャ部１０９は、ステップ３２において特定したファイルを、データ放送処理部１０５に再度処理させ、新たな画面表示用データを作成させる（ステップＳ３７）。具体的には、データ放送処理部１０５は、文字列のスタイル情報が変更されたリンク情報を含むデータ放送から、新たな画面表示用データを作成する。そして、静止画キャプチャ部１０９は、その新たな画面表示用データ（すなわちデータ放送）を取得し、ＪＰＥＧ等の画像ファイルに変換し、データ放送静止画像としてメモリ１１１のデータ放送保存用領域１１３に保存する（ステップＳ３８）。
【００３９】
尚、ステップ３０，３４，３８において、静止画キャプチャ部１０９は、静止画像及びリンク情報を保存する際に、関連情報をそれぞれのファイル内に記述する等して、映像静止画像とデータ放送静止画像とリンク情報とを関連付ける。
【００４０】
次に、映像静止画像、データ放送静止画像及びリンク情報をＬＣＤ１０４に表示する手法について説明する。ユーザの操作に応じて、以下の３通りの表示形態を実現する。
（１）映像静止画像またはデータ放送静止画像を表示する。
（２）映像静止画像及びデータ放送静止画像を１画面に表示する。
（３）映像静止画像、または、データ放送静止画像及びリンク情報を表示する。
【００４１】
（１）及び（２）の場合は、関連付けられた静止画像ファイルを簡単に表示できるように、ＬＣＤ１０４に表示したメニューから、所望の静止画像ファイル（いずれか一方のファイルまたは両方のファイル）を呼び出す。具体的には、図１を参照して、表示部１０３は、ユーザからの（１）または（２）の操作があると、図示しない操作部からその操作内容を入力する。そして、表示部１０３は、その操作内容に従って、（１）の場合に、メモリ１１１から、関連付けられた映像静止画像またはデータ放送静止画像を読み出し、ＬＣＤ１０４に表示する。一方、（２）の場合に、メモリ１１１から、関連付けられた映像静止画像及びデータ放送静止画像を読み出し、ＬＣＤ１０４に表示する。
【００４２】
（３）の場合は、例えば図７に示すように、ＬＣＤ１０４には、その上部に静止画像が表示され、その下部にはリンク情報がリスト表示される。具体的には、図１を参照して、表示部１０３は、ユーザからの（３）の操作があると、図示しない操作部からその操作内容を入力する。そして、表示部１０３は、その操作内容に従って、メモリ１１１から、関連付けられたデータ放送静止画像及びリンク情報を読み出し、ＬＣＤ１０４に表示する。
【００４３】
また、（３）において、ユーザの操作により、図７に示したリンク情報表示部内のリンク情報が選択されると、表示部１０３は、当該リンク情報と共に保存された位置（座標）に基づいて、その上部に表示されているデータ放送静止画像について、当該リンク情報が存在する位置までスクロールさせ、リンク情報を含むデータを表示する。この場合、表示部１０３は、スクロースさせて表示する代わりに、データ放送静止画像のうちの当該リンク情報を含むその前後のデータを瞬時に表示するようにしてもよい。
【００４４】
また、（１）〜（３）において、ＬＣＤ１０４にリンク情報として電話番号が表示されている場合に、ユーザの選択操作により、その電話番号を発信する。具体的には、表示部１０３は、図８の左側に示す画面をＬＣＤ１０４に表示している状態で、ユーザにより電話番号を選択されると、図８の中央に示す画面を表示し、ユーザに確認を促す。そして、表示部１０３は、ユーザによる確認操作があると、図８の右側に示す画面を表示し、電話部１０８は、当該電話番号を発信する。すなわち、デジタル放送受信装置１００は、データ放送のコードに電話番号として認識可能な文字列（リンク情報）が存在する場合には、ＬＣＤ１０４に電話番号を表示し、ユーザの選択操作により、当該電話番号を発信する。例えば、データ放送のコードに「TEL:＊」（＊は、連続するアスキー数字及び全角数字、＃、＊、０〜９とし、３桁から３６桁までとする。また、TEL:は半角とする。）が存在する場合には、＊を電話番号のリンク情報であると認識する。
【００４５】
尚、前記（３）では、電話番号を発信するようにしたが、メール機能を有するデジタル放送受信装置１００においては、ＬＣＤ１０４にリンク情報としてメールアドレスが表示されている場合に、ユーザの選択操作により、そのメールアドレス宛にメールを送信するようにしてもよい。または、宛先にそのメールアドレスを入れてメール（アプリ）を起動するようにしてもよい。
【００４６】
以上のように、本発明の実施の形態によるデジタル放送受信装置１００によれば、静止画キャプチャ部１０９は、ユーザが現在視聴中のデータ放送を静止画像ファイルとしてメモリ１１１に保存するようにした。これにより、静止画像を表示する機能を有するデジタル放送受信装置１００であれば、データ放送を表示することが可能となる。また、静止画像ファイルとして保存するから、当該データ放送の静止画像ファイルをメールに添付する等して、外部へ移動させることが可能となる。このファイルを受信した装置は、ＢＭＬブラウザ（アプリ）がなくても静止画像を表示することができる。また、クイズやアンケートのように、動的に変換するデータ放送であっても、静止画キャプチャ部１０９は、ユーザの操作を含んだ形で静止画像ファイルとして保存することができる。したがって、ユーザは、その静止画像を見ることにより、操作をすることなくユーザが希望する画像をすぐに見ることが可能となる。
【００４７】
また、静止画キャプチャ部１０９は、映像静止画像とデータ放送静止画像とを個別のファイルとしてメモリ１１１に保存するようにした。これにより、映像データを大きなサイズで保存することが可能となり、これに関連付けられた全てのデータ放送を保存することが可能となる。
【００４８】
また、静止画キャプチャ部１０９は、映像静止画像とデータ放送静止画像とを関連付けてメモリ１１１に保存するようにした。これにより、データが煩雑になることを防ぐことが可能となる。また、静止画キャプチャ部１０９は、映像静止画像とデータ放送静止画像とを合わせて保存するようにしたから、一方の静止画像のみを保存した場合に比べて、ユーザは放送コンテンツの内容の把握が容易になり、その内容を思い出しやすくなる。
【００４９】
また、静止画キャプチャ部１０９は、データ放送のうちのリンク情報もメモリ１１１に保存するようにした。これにより、リンク情報の取り扱いが容易になる。
【００５０】
また、静止画キャプチャ部１０９は、リンク情報を強調したデータ放送静止画像をメモリ１１１に保存するようにした。これにより、リンク情報を重要な情報として、わかりやすい状態でユーザへ提示することが可能となる。また、静止画キャプチャ部１０９は、リンク情報の位置もメモリ１１１に保存するようにしたから、データ放送のうちのリンク情報の位置を特定することができ、スクロール制御等が容易になり、リンク情報を重要な情報として、一層わかりやすい状態でユーザへ提示することが可能となる。
【００５１】
また、表示部１０３は、ＬＣＤ１０４の画面上にリンク情報を表示する場合において、独立した別の領域に表示するようにした。これにより、リンク情報を重要な情報として、さらに一層わかりやすい状態でユーザへ提示することが可能となる。また、ユーザは、重要な情報を一層簡単に見つけることが可能となる。
【００５２】
以上、実施の形態を挙げて本発明を説明したが、本発明は上記実施の形態に限定されるものではなく、本発明の精神及び意図を逸脱しない限り、種々変形が可能である。例えば、前述の実施の形態では、移動型の携帯端末装置を想定して説明したが、本発明は、移動型に限定されるものではなく、また、携帯端末装置に限定されるものでもない。
【図面の簡単な説明】
【００５３】
【図１】本発明の実施の形態によるデジタル放送受信装置の構成を示すブロック図である。
【図２】映像とデータ放送とを個別の静止画像として保存する場合のシーケンス図である。
【図３】メモリに保存される静止画像を示すイメージ図である。
【図４】映像及びデータ放送を１つの静止画像として保存した場合の静止画のイメージ図である。
【図５】リンク情報も保存する場合のシーケンス図である。
【図６】リンク情報を強調して保存する場合のシーケンス図である。
【図７】データ放送静止画像の表示領域の下にリンク情報を表示した場合のイメージ図である。
【図８】選択した電話番号から電話発信する場合のイメージ図である。
【符号の説明】
【００５４】
１００  デジタル放送受信装置
１０１，１０７  アンテナ
１０２  ＴＶ制御部
１０３  表示部
１０４  ＬＣＤ
１０５  データ放送処理部
１０６  制御部
１０８  電話部
１０９  静止画キャプチャ部
１１０  リンク情報解析部
１１１  メモリ
１１２  映像保存用領域
１１３  データ放送保存用領域
１１４  リンク情報保存用領域
【図１】
2007180726.tif 000003
【図２】
2007180726.tif 000004
【図３】
2007180726.tif 000005
【図４】
2007180726.tif 000006
【図５】
2007180726.tif 000007
【図６】
2007180726.tif 000008
【図７】
2007180726.tif 000009
【図８】
2007180726.tif 000010